(57)【要約】【課題】構造が簡単で、制作が容易で、安価な、制振マウントを提供する。【解決手段】制振マウント１が、一方の部材９に取付けられるロッド１１と、ロッド挿通穴を一端に有した円筒閉塞容器２と、円筒閉塞容器２内に配設され挿通穴を通したロッド１１に一体に形成されたピストン３と、円筒閉塞容器２内のピストン３の両側の空間に封入された弾性流体６と、他方の部材１０に円筒閉塞容器２を弾性的に取付ける弾性部材８と、挿通穴の内周面に設けられロッドとの間をシールするロッドシール７およびピストンの外周面に設けられ円筒閉塞容器の内周面との間をシールするピストンシール４を備えている。【選択図】図１
2010174954.tif 000002
【特許請求の範囲】
【請求項１】
一方の部材と他方の部材の間に介在される制振マウントであって、
一方の部材に取付けられるロッドと、
このロッドの挿通穴を一端に有した円筒閉塞容器と、
円筒閉塞容器内に摺動自在に配設され該挿通穴を通したロッドに一体に形成されたピストンと、
円筒閉塞容器内のピストンの両側の空間に封入された弾性流体と、
他方の部材に円筒閉塞容器を弾性的に取付ける円筒閉塞容器の外周部に設けられた弾性部材と、
該挿通穴の内周面に設けられロッドとの間をシールするロッドシールおよび該ピストンの外周面に設けられ円筒閉塞容器の内周面との間をシールするピストンシールと、を備えている、
ことを特徴とする制振マウント。
【請求項２】
該弾性部材として、
円筒閉塞容器の外周部に一端側が取付けられ他端側が外方に向けて放射状に延び他方の部材に取付けられる弧状の複数の板ばねを備えている、
ことを特徴とする請求項１記載の制振マウント。
【請求項３】
該円筒閉塞容器が、
外周部に該ロッドの軸線と直交する外方に延びた環状フランジを備え、
該他方の部材が、
この環状フランジと該軸線方向の少なくとも一方向において当接し、かつ該軸線と直交する方向への環状フランジの移動を許容するフランジ当接部を備えている、
ことを特徴とする請求項１または２記載の制振マウント。
【発明の詳細な説明】
【技術分野】
【０００１】
本発明は、一方の部材と他方の部材の間に介在される、例えば建設機械の運転室を機体フレームに取付ける制振マウントに関する。
【背景技術】
【０００２】
油圧ショベルのような建設機械の運転室は、その床フレームが機体フレームに複数の制振マウントを介して取付けられ、運転室に伝わる振動、衝撃などが抑制されている。典型的な制振マウント（例えば、特許文献１参照）は、一端が閉じられた円筒容器と、円筒容器の内周面に外周面が固着された円筒状ゴム材と、円筒状ゴム材の内周面に固着された軸部材と、円筒状ゴム材および軸部材とによって円筒容器の閉塞端に区画され液体が封入された液室と、液室内に位置して軸部材に取付けられた減衰板を備えている。
【０００３】
この制振マウントは、運転室と機体フレームの間に軸部材を鉛直方向にして配設され、円筒容器の外周に設けた取付フランジが機体フレームに取付けられ、開放端から突出した軸部材が運転室の床フレームに取付けられている。
【先行技術文献】
【特許文献】
【０００４】
【特許文献１】特開２００２−３１７８５０号公報（図２）
【発明の概要】
【発明が解決しようとする課題】
【０００５】
上述したとおりの形態の従来の制振マウントには、次のとおりの解決の望まれている課題がある。
【０００６】
すなわち、制振マウントは、弾性ゴム、シリコンオイルのような液体、減衰板等によって、振動を減衰させ制振する構成であるので、構造、形状が複雑であり、製作コストの高いものになっている。
【０００７】
本発明は上記事実に鑑みてなされたもので、その技術的課題は、従来に比べて、構造が簡単で、制作が容易で、安価な、制振マウントを提供することである。
【課題を解決するための手段】
【０００８】
本発明によれば上記技術的課題を解決する制振マウントとして、一方の部材に取付けられるロッドと、このロッドの挿通穴を一端に有した円筒閉塞容器と、円筒閉塞容器内に摺動自在に配設され該挿通穴を通したロッドに一体に形成されたピストンと、円筒閉塞容器内のピストンの両側の空間に封入された弾性流体と、他方の部材に円筒閉塞容器を弾性的に取付ける円筒閉塞容器の外周部に設けられた弾性部材と、該挿通穴の内周面に設けられロッドとの間をシールするロッドシールおよび該ピストンの外周面に設けられ円筒閉塞容器の内周面との間をシールするピストンシールと、を備えている、ことを特徴とする制振マウントが提供される。
【０００９】
好適には、該弾性部材として、円筒閉塞容器の外周部に一端側が取付けられ他端側が外方に向けて放射状に延び他方の部材に取付けられる弧状の複数の板ばねを備えている。また、該円筒閉塞容器は、外周部に該ロッドの軸線と直交する外方に延びた環状フランジを備え、該他方の部材は、この環状フランジと該軸線方向の少なくとも一方向において当接し、かつ該軸線と直交する方向への環状フランジの移動を許容するフランジ当接部を備えている。
【発明の効果】
【００１０】
本発明に従って構成された制振マウントは、周知の複動・片ロッドのシリンダ状に形成され、内部のピストンの両側に弾性流体が封入され、一方の部材にロッドが取付けられ、他方の部材にシリンダが弾性部材によって取付けられ、弾性流体および弾性部材、さらにシリンダのピストンおよびロッドの摺動抵抗によって、一方の部材と他方の部材の間の振動、衝撃を減衰、制振することができる。したがって、構造が簡単で、制作が容易で、安価な、制振マウントを提供することができる。
【図面の簡単な説明】
【００１１】
【図１】本発明に従って構成された制振マウントの断面図。
【図２】図１に示す取付部材としての複数の板ばねの斜視図。
【図３】板ばねの他の形態の斜視図。
【図４】図３に示す板ばねを備えた制振マウントの断面図。
【発明を実施するための形態】
【００１２】
以下、本発明に従って構成された制振マウントについて、建設機械の運転室と機体フレームの間に取付けた好適実施形態を図示している添付図面を参照して、さらに詳細に説明する。
【００１３】
図１を参照して説明する。全体を番号１で示す制振マウントは、一方の部材としての運転室の床フレーム９に取付けられるロッド１１と、ロッド１１の挿通穴２ａを一端に有した円筒閉塞容器２と、円筒閉塞容器２内に摺動自在に配設され挿通穴２ａを通したロッド１１に一体に形成されたピストン３と、円筒閉塞容器２内のピストン３の両側の空間に封入された弾性流体としての気液混合液６と、他方の部材としての機体フレーム１０に円筒閉塞容器２を弾性的に取付ける円筒閉塞容器２の外周部に設けられた弾性部材としての複数の板ばね８と、挿通穴２ａの内周面に設けられロッド１１との間をシールするロッドシール７およびピストン３の外周面に設けられ円筒閉塞容器２の内周面との間をシールするピストンシール４を備えている。
【００１４】
上述の円筒閉塞容器２、ロッド１１、ピストン３等は、周知の複動・片ロッドの液圧シリンダと基本的に同一のものである。ロッドシール７（実施例では１個）およびピストンシール４（実施例では２個）は、ウレタンのような耐油性合成ゴムによって形成された周知のものである。
【００１５】
床フレーム９および機体フレーム１０は、それぞれ所定の厚さを有して、水平にかつ機体フレーム１０の上方に床フレーム９が配設されている。制振マウント１は、ロッド１１の軸線Ｘを鉛直方向にし、ロッド１１の突出端を床フレーム９側にして配設されている。
【００１６】
ロッド１１は、突出端に平板状のロッドエンド１１ａを備えている。ロッドエンド１１ａは、床フレーム９の下面に床フレーム９の上面から通した複数のボルト１２によって取付けられている。円筒閉塞容器２は、機体フレーム１０の下面に、その外周部の板ばね８を通した複数のボルト１４によって取付けられている。
【００１７】
円筒閉塞容器２は、ロッド１１の挿通穴２ａが設けられた端側の外周部にロッド１１の軸線Ｘと直交する外方に延びた環状フランジ２ｂを備えている。機体フレーム１０は、円筒閉塞容器２の外周部が挿入される挿入穴１０ａと、挿入穴１０ａの周縁部に設けられ環状フランジ２ｂと軸線Ｘ方向の一方向（実施例においては下方）において当接し、かつ軸線Ｘと直交する方向への環状フランジ２ｂの移動を許容するフランジ当接部１０ｂを備えている。
【００１８】
気液混合液６は、例えば気体としての空気と液体としての作動油を攪拌して得られる弾性液体である。混合液に含まれた「空気の泡」と「作動油」とによって、制振マウント１のばね効果と減衰効果を得ることができる。気液混合比率は、制振マウント１の適用条件によって設定すればよいが、例えば気体／液体容積比で（１／１０）以上にするとよい。
【００１９】
板ばね８について図１とともに図２を参照して説明する。板ばね８は、所定の幅、長さのばね鋼板を直角の弧状に、すなわち円弧部とそれに続く両端に真直部を有した形状に、曲げて形成されている。実施例においては、円筒閉塞容器２の外周部に等間隔に隙間をおいて６個配設されている。板ばね８の一端、円筒閉塞容器２側は、円筒閉塞容器２の外周部に沿って軸線Ｘ方向に真直に延び、溶接によって外周部に一体に固定されている。板ばね８の他端、外方に向けて放射状に延びる端は、機体フレーム１０の下面に沿って真直に徐々に幅を広げて延び、取付用のボルト穴８ａが形成されている。
【００２０】
この板ばね８および前述の環状フランジ２ｂによって、制振マウント１の円筒閉塞容器２は、機体フレーム１０あるいはロッド１１に作用する外力、衝撃による軸線Ｘ方向の一方向、下方への動きを止められ、軸線Ｘと直交する矢印Ｙ方向への摺動移動を許容し、かつ中央復帰を可能にして取付けられている。
【００２１】
板ばね８の他の形態である板ばね１８について図３および図４を参照して説明する。板ばね１８の基本形状は板ばね８と同一であるが、円弧部に外側に突出した環状凹条部１８ａを備えている。この環状凹条部１８ａの膨らみによって、制振マウント１のＹ方向へのより大きな弾性変位を得ることができる。
【００２２】
主として図１を参照して、上述したとおりの制振マウント１の作用効果について説明する。
【００２３】
制振マウント１は、一方の部材９と他方の部材１０の間の、上下Ｘ方向の衝撃・外力に対しては、弾性流体（気液混合液）６を封入したシリンダ状の円筒閉塞容器２とピストン３からなる構成のばね作用、減衰作用によって、さらにはピストン３とピストンシール４およびロッド１１とロッドシール７の摺動抵抗によって、制振作用を得ることができ、水平Ｙ方向の衝撃・外力に対しては、弾性部材（板ばね）８によってシリンダ状の円筒閉塞容器２を水平Ｙ方向に移動そして中央復帰が可能にした構成のばね作用、減衰作用によって制振作用を得ることができ、上下Ｘ方向および水平Ｙ方向の制振が可能である。
【００２４】
したがって制振マウント１は、周知の複動・片ロッドのシリンダの基本構成によって形成されているので、構造簡単で、制作容易で、安価に提供することができる。
【００２５】
また、弾性部材８として、円筒閉塞容器２の外周部に一端側が取付けられ他端側が外方に向けて放射状に延び他方の部材１０に取付けられる弧状の複数の板ばね８を備えることにより、小さな設置スペースに簡単な構造で、水平Ｙ方向のいずれ方向の変位そして復帰が可能な、弾性部材を用意することができる。
【００２６】
さらに、円筒閉塞容器２は、外周部にロッド１１の軸線Ｘと直交する外方に延びた環状フランジ２ｂを備え、他方の部材１０は、この環状フランジ２ｂと軸線Ｘ方向の少なくとも一方向において当接し、かつ軸線Ｘと直交するＹ方向への環状フランジ２ｂの移動を許容するフランジ当接部１０ｂを備えている。したがって、軸線Ｘの下方に向けて一方の部材９から過大な外力が加わるような場合には、環状フランジ２ｂおよびフランジ当接部１０ｂの当接により、確実に受け止め、安定した防振マウント１を提供することができる。
【００２７】
以上、本発明を実施の形態に基づいて詳細に説明したが、本発明は上記の実施形態に限定されるものではなく、例えば下記のように、本発明の範囲内においてさまざまな変形あるいは修正ができるものである。
【００２８】
本発明の実施の形態においては、弾性流体６として空気と作動油の気液混合液が用いられたが、弾性流体６は、弾性を有した流体であればよく、空気と作動油の混合液に限定されるものではない。
【００２９】
本発明の実施の形態においては、弾性部材８として板ばねが用いられたが、弾性部材８は、円筒閉塞容器２を他方の部材１０に弾性的取付けるものであればよく、板ばねに限定されるものではない。
【００３０】
本発明の実施の形態においては、円筒閉塞容器２の環状フランジ２ｂは軸線Ｘの一方向のみにおいてフランジ当接部１０ｂと当接するように構成されているが、軸線Ｘの両方向に向けて一方の部材９から過大な外力が加わるような場合にはフランジ当接部１０ｂを、環状フランジ２ｂを挟んだ両側に備えるようにしてもよい。
【符号の説明】
【００３１】
１：制振マウント
２：円筒閉塞容器
２ａ：挿通穴
２ｂ：環状フランジ
３：ピストン
４：ピストンシール
６：気液混合液（弾性流体）
７：ロッドシール
８：板ばね（弾性部材）
９：床フレーム（一方の部材）
１０：機体フレーム（他方の部材）
１０ｂ：フランジ当接部
１１：ロッド
【図１】
2010174954.tif 000003
【図２】
2010174954.tif 000004
【図３】
2010174954.tif 000005
【図４】
2010174954.tif 000006